(57)【要約】【課題】  装置キー設定の手間を軽減すること。【解決手段】  ストレージ２２０に格納されている文書データに設定されている文書キーを装置キーに設定するようにした。そのため、ユーザは自身の情報を含む文書データをストレージ２２０に格納させることで、装置キーを設定することができ、装置キー設定の手間を軽減することができる。【選択図】  図３
2007122564.tif 000002
【特許請求の範囲】
【請求項１】
表示制限のための文書キーが設定されている文書データを取得して表示する情報表示装置であって、
取得した文書データに設定されている文書キーを自装置の操作制限のための装置キーに設定する装置キー設定手段を備えたことを特徴とする情報表示装置。
【請求項２】
前記装置キー設定手段は、前記文書データを取得したときに、前記文書キーを前記装置キーに設定することを特徴とする請求項１に記載の情報表示装置。
【請求項３】
前記装置キー設定手段は、ユーザが入力したユーザキーと前記文書キーとが一致すると判定されたときに、前記文書キーを前記装置キーに設定することを特徴とする請求項１に記載の情報表示装置。
【請求項４】
前記装置キー設定手段は、前記文書キーと前記装置キーとが一致しない場合或いは前記装置キーが設定されていない場合に、前記文書キーを前記装置キーに設定することを特徴とする請求項１から３のいずれか１項に記載の情報表示装置。
【請求項５】
前記文書データの表示要求があると、前記文書キーと前記装置キーとが一致する場合に、前記文書データを表示する文書表示手段を備えたことを特徴とする請求項１から４のいずれか１項に記載の情報表示装置。
【発明の詳細な説明】
【技術分野】
【０００１】
本発明は、外部から取得した文書データを表示する情報表示装置に関する。
【背景技術】
【０００２】
従来、この種の情報表示装置としては、例えば、パーソナルコンピュータから文書データを取得して表示する携帯端末が知られている（例えば、特許文献１参照）。
このような情報表示装置では、一般に、操作制限のためのユーザ認証情報（装置キー）を予め設定することで、設定変更等の操作が勝手に行わることを防いでいる。
【特許文献１】特開平１３―１２５７６０号公報
【発明の開示】
【発明が解決しようとする課題】
【０００３】
しかしながら、このような情報表示装置にあっては、例えば、他人に装置を貸与する場合には、当該装置を操作できるように、貸出先である前記他人をユーザ登録して装置キーを設定する作業が事前に必要となり、多くの手間がかかるという問題があった。
本発明は、上記従来技術の未解決の課題を解決することを目的とするものであって、装置キー設定の手間を軽減することが可能な情報表示装置を提供することを課題とする。
【課題を解決するための手段】
【０００４】
上記課題を解決するために、本発明の情報表示装置は、表示制限のための文書キーが設定されている文書データを取得して表示する情報表示装置であって、取得した文書データに設定されている文書キーを自装置の操作制限のための装置キーに設定する装置キー設定手段を備えたことを特徴とする。
また、前記装置キー設定手段は、前記文書データを取得したときに、前記文書キーを前記装置キーに設定するようにしてもよい。
【０００５】
さらに、前記装置キー設定手段は、ユーザが入力したユーザキーと前記文書キーとが一致すると判定されたときに、前記文書キーを前記装置キーに設定するようにしてもよい。
また、前記装置キー設定手段は、前記文書キーと前記装置キーとが一致しない場合或いは前記装置キーが設定されていない場合に、前記文書キーを前記装置キーに設定するようにしてもよい。
【０００６】
このような構成によれば、ユーザは自身の情報を含む文書データを取得させることで、装置キーを設定することができ、装置キー設定の手間を軽減することができる。
【発明を実施するための最良の形態】
【０００７】
以下、本発明の情報表示装置を適用した情報表示システムの一実施形態を図面に基づいて説明する。
この情報表示システムは、パーソナルコンピュータによって、表示対象となるコンテンツのビットマップデータをそれぞれ生成し、そのビットマップデータと文書キーとを含めて文書データを生成し、その文書データを情報表示装置に送信する。
【０００８】
また、情報表示システムは、情報表示装置によって、まず、パーソナルコンピュータから送信される文書データを取得してストレージに格納する。そして、任意の文書データが選択されると、その選択された文書データのビットマップデータを読み出す。次いで、その読み出されたビットマップデータをメイン表示パネルに表示する。
なお、本実施形態では、文書データを情報表示装置に送信してストレージに格納させる動作をパーソナルコンピュータのプリンタドライバの機能を用いて行うため、前記文書データを送信等させる動作を「印刷」とも呼ぶこととする。
【０００９】
＜情報表示システムの構成＞
図１は、本発明を適用した情報表示システム１の外観を示す斜視図である。また、図２は、その情報表示システム１を構成するパーソナルコンピュータ２の内部構成を示すブロック図であり、図３は、情報表示装置３の内部構成を示すブロック図である。この情報表示システム１は、表示対象となるコンテンツの文書データを生成して送信するパーソナルコンピュータ２、及び前記送信された文書データを格納し、ユーザによって選択操作がされると、選択された文書データを表示する情報表示装置３を含んで構成される。
【００１０】
＜パーソナルコンピュータの構成＞
パーソナルコンピュータ２は、図２に示すように、入力機器１０、指紋検出装置２０、記憶装置３０、プログラムＲＯＭ／ＲＡＭ（Read Only Memory / Random Access Memory）４０、ＣＰＵ（Central Processing Unit）５０、表示駆動部６０、ディスプレイ７０及びインタフェース装置８０を含んで構成される。
入力機器１０は、キーボードやマウス等の入力装置によって構成され、ユーザが指示操作を行うと当該指示操作に応じた信号（指示信号）をＣＰＵ５０に出力する。
指紋検出装置２０は、ユーザの指が押し当てられると当該指の指紋の特徴部を検出し、その検出結果を示す信号（指紋信号）をＣＰＵ５０に出力する。
記憶装置３０は、不揮発性のメモリ（電源を切断しても保持データが維持されるメモリ）によって構成され、パーソナルコンピュータ２の各部を制御するための各種プログラム、及び複数のコンテンツのデータ（印刷対象データ）を格納する。
【００１１】
プログラムＲＯＭ／ＲＡＭ４０は、ＣＰＵ５０による各種処理の実行時に、ワークエリアを形成するとともに、当該処理の処理結果を格納する。
ＣＰＵ５０は、入力機器１０から出力される指示信号に従って、記憶装置３０に格納されているプログラムを読み出して各種処理を実行する。そして、ＣＰＵ５０は、記憶装置３０に格納されている印刷対象データの各ページをビットマップデータに変換し、図４に示すように、そのビットマップデータと指紋検出装置２０から出力される指紋の特徴部の検出結果（文書キー）とを含めて文書データを生成し、その文書データをインタフェース装置８０を介して情報表示装置３に送信する。また、ＣＰＵ５０は、各種処理の処理結果をプログラムＲＯＭ／ＲＡＭ４０に格納する。
【００１２】
表示駆動部６０は、ＣＰＵ５０による各種処理の実行時に、当該処理の処理結果が表示されるようにディスプレイ７０を駆動する。
ディスプレイ７０は、表示駆動部６０で駆動されて各種情報を表示画面に表示する。
インタフェース装置８０は、ＵＳＢ(Universal Serial Bus)のデバイスコントローラであり、ＣＰＵ５０で生成される文書データを情報表示装置３に送信する。
【００１３】
＜パーソナルコンピュータの機能部＞
また、一般アプリケーション１００、印刷制御部１１０、データ生成部１２０及びデータ転送部１３０は、プログラムＲＯＭ／ＲＡＭ４０及びＣＰＵ５０によって実現される機能部である。
一般アプリケーション１００は、ワープロソフト等のアプリケーションプログラムであり、印刷の指示操作が行われると、図５に示すように、印刷対象データの印刷要求を印刷制御部１１０に出力する。また、一般アプリケーション１００は、印刷設定を行わせる印刷ダイアログの表示を要求する印刷設定要求が印刷制御部１１０から出力されると、図６に示すように、印刷ダイアログをディスプレイ７０に表示させる。さらに、一般アプリケーション１００は、その印刷ダイアログで印刷設定が行われると、その印刷設定の結果、文書キー（ユーザの指紋の特徴部の検出結果）、印刷対象データの描画コマンド（印刷指示）をオペレーティングシステム経由で印刷制御部１１０に出力する。
【００１４】
描画コマンドとしては、座標及びスタイル付きでテキスト描画を指示する命令、座標及びスタイル付きで線描画を指示する命令、プリンタと同じ解像度をもつ座標系においてドット単位でピクセルペイントを指示する命令等を挙げることができる。
印刷制御部１１０は、プリンタドライバであり、一般アプリケーション１００から印刷要求が出力されると印刷設定要求を一般アプリケーション１００に出力する。また、印刷制御部１１０は、一般アプリケーション１００から印刷設定の結果、文書キー、印刷指示が出力されると、それら印刷設定の結果、文書キー、印刷指示に基づいて文書データを生成させる印刷データ生成要求をデータ生成部１２０に出力する。
【００１５】
データ生成部１２０は、印刷制御部１１０から印刷データ生成要求が出力されると、印刷指示（描画コマンド）を蓄積して印刷対象データの各ページのビットマップデータを生成する。そして、データ生成部１２０は、その生成されたビットマップデータと文書データとを含めて印刷データを生成して印刷制御部１１０に出力する。
データ転送部１４０では、印刷制御部１１０から印刷データが出力されると、その印刷データをインタフェース装置８０を介して情報表示装置３に送信する。
【００１６】
＜情報表示装置の構成＞
一方、情報表示装置３は、図３に示すように、指紋検出装置２００、インタフェース装置２１０、ストレージ２２０、ＣＰＵ２４０、プログラムＲＯＭ／ＲＡＭ２３０、ＮＶＲＡＭ２５０、アクセラレータ回路２６０、表示駆動部２７０、メイン表示パネル２８０及び電源制御２９０を含んで構成される。
指紋検出装置２００は、ユーザの指が押し当てられると当該指の指紋の特徴部を検出し、その検出結果を示す信号（指紋信号）をＣＰＵ２４０に出力する。
インタフェース装置２１０は、ＵＳＢのデバイスコントローラであり、パーソナルコンピュータ２から送信される文書データをストレージ２２０に格納させる。
ストレージ２２０は、フラッシュメモリ等の不揮発性のメモリによって構成され、パーソナルコンピュータ２から送信される文書データを格納する。
【００１７】
プログラムＲＯＭ／ＲＡＭ２３０は、不揮発性のメモリによって構成され、情報表示装置３の各部を制御するための各種プログラムを格納する。
ＣＰＵ２４０は、ユーザによって入力される指示信号に従って、プログラムＲＯＭ／ＲＡＭ２３０に格納されているプログラムを読み出して各種処理を実行する。そして、ＣＰＵ２４０は、ストレージ２２０に格納されている文書データのうち選択された文書データに含まれるビットマップデータをメイン表示パネル２８０に描画させる指令に出力する。また、ＣＰＵ２４０は、各種処理の処理結果をＮＶＲＡＭ２５０に格納する。
【００１８】
ＮＶＲＡＭ２５０は、ＦＲＡＭ（Ferroelectric Random Access Memory）、ＭＲＡＭ（Magnetoresistive Random Access Memory）、ｎｖＳＲＡＭ（non-volatile Static Random Access Memory）等の不揮発性メモリで構成され、ＣＰＵ２４０による各種処理の実行時に、ワークエリアを形成するとともに、当該処理の処理結果（例えば、端末キー）を格納する。
【００１９】
アクセラレータ回路２６０は、ＣＰＵ２４０の命令に従って、メイン表示パネル２８０に描画する画像の描画処理を行う。そして、アクセラレータ回路２６０は、その描画処理の処理結果である描画データを表示駆動部２７０に出力する。
表示駆動部２７０は、メイン表示パネル２８０を制御し、アクセラレータ回路２６０から出力される描画データをメイン表示パネル２８０に描画する。具体的には、表示駆動部２７０は、アクセラレータ回路２６０から描画データが入力される画素書込部２７０ａを備える。そして、表示駆動部２７０は、画素書込部２７０ａに入力された描画データを参照して、メイン表示パネル２８０のＸドライバ及びＹドライバを駆動することにより、前記入力された描画データをメイン表示パネル２８０に描画する。
【００２０】
メイン表示パネル２８０は、Ａ４サイズの高画素密度の記憶性表示装置（電源を切断しても表示内容が維持される表示装置）で構成される。そして、メイン表示パネル２８０は、表示駆動部２７０の制御に応じて、所定画素に画素データを表示する。なお、メイン表示パネル２８０としては、例えば、電気泳動ディスプレイ、コレステリック液晶ディスプレイ、或いはエレクトロデポジションディスプレイ等を採用することができる。
電源制御２９０は、一次電池或いは二次電池によって構成される。そして、電源制御２９０は、情報表示装置３全体に各部を適切に動作させるための各部に電力を供給する。
【００２１】
＜情報表示装置の機能部＞
また、書庫管理部３００、解析・整形部３１０、認証キー設定部３２０及び通信管理部３３０は、ＣＰＵ２４０及びプログラムＲＯＭ／ＲＡＭ２３０によって実現される機能部である。
書庫管理部３００は、ストレージ２２００に格納されている文書データの一覧をメイン表示パネル２８０に表示させる指令をアクセラレータ回路２６０に出力する。そして、書庫管理部３００は、その表示させた一覧に基づいて、表示対象とする文書データの選択操作がされると、図７に示すように、その選択された文書データの表示要求（ＵＲＬ等による文書ＩＤを伴った表示要求）を解析・整形部３１０に出力する。
【００２２】
解析・整形部３１０は、書庫管理部３００から表示要求が出力されると、その表示要求に対応する文書データをストレージ２２００から読み出し、その文書データから文書キーを抽出してプログラムＲＯＭ／ＲＡＭ２３０に格納させるとともに、ユーザが当該文書データへのアクセスを許されている人（前記文書データの文書キーに対応するユーザ）であるか否かを判定する認証依頼を認証キー設定部３２０に出力する。
【００２３】
また、解析・整形部３１０は、認証キー設定部３２０からユーザ認証が成功したことを示す認証結果通知が出力されると前記表示要求に対応する文書データの解析を続行し、その文書データに含まれるビットマップデータをメイン表示パネル２８０に描画させる指令（ビットマップデータ描画指令）をアクセラレータ回路２６０に出力する。
さらに、解析・整形部３１０は、認証キー設定部３２０からユーザ認証が失敗したことを示す認証結果通知が出力されると文書データの解析を終了する。
【００２４】
認証キー設定部３２０は、解析・整形部３１０から認証依頼が出力されると、プログラムＲＯＭ／ＲＡＭ２３０に格納されている文書キー及びＮＶＲＡＭ２５０に格納されている端末キーに基づいて、表示対象となる文書データの認証を行い、その認証結果を解析・整形部３１０に通知する認証処理（後述）を実行する。
【００２５】
＜認証キー設定部の動作＞
次に、認証キー設定部３２０で実行される認証処理を図８のフローチャートに基づいて説明する。この認証処理は、解析・整形部３１０から認証依頼があると実行される処理であって、まず、そのステップＳ１で、ＮＶＲＡＭ２５０に端末キーが格納されているか否かを判定し、端末キーが格納されている場合にはその端末キーを読み出す。
【００２６】
次にステップＳ２に移行して、前記ステップＳ１で端末キーを読み出せたか否かを判定する。端末キーを読み出せた場合には（Ｙｅｓ）ステップＳ３に移行し、端末キーが格納されておらず、読み出せなかった場合には（Ｎｏ）ステップＳ８に移行する。
前記ステップＳ３では、前記ステップＳ１で取得された端末キーがＮＶＲＡＭ２５０に格納された時刻（認証時刻）Ｔ１を検出する。
【００２７】
次にステップＳ４に移行して、現在時刻Ｔ２を検出する。
次にステップＳ５に移行して、前記ステップＳ１で読み出された端末キーが有効期限を過ぎているか否かを判定する。具体的には、前記ステップＳ４で検出された現在時刻Ｔ２から前記ステップＳ３で検出された認証時刻Ｔ１を減じた減算結果が有効期限（予め定められた一定値）より大きいか否かを判定する。前記減算結果が前記一定値以下である場合には（Ｎｏ）ステップＳ６に移行し、前記減算結果が前記一定値より大きい場合には（Ｙｅｓ）ステップＳ７に移行する。
【００２８】
前記ステップＳ６では、プログラム記憶部３３０に格納されている文書キーが前記ステップＳ１で読み出された端末キーと一致するか否かを判定する（文書キー及び端末キーである指紋の特徴部が一致するかを判定する）。それらが一致する場合には（Ｙｅｓ）ステップＳ１２に移行し、一致しない場合には（Ｎｏ）前記ステップＳ８に移行する。
一方、ステップＳ７では、ＮＶＲＡＭ２５０に格納されている端末キーを削除してから、前記ステップＳ８に移行する。
【００２９】
前記ステップＳ８では、「指紋検出装置に指を押し当ててください。」というメッセージをメイン表示パネル２８０に描画させる指令（メッセージ描画指令）をアクセラレータ回路２６０に出力する。
次にステップＳ９に移行して、指紋検出装置２００から出力される指紋信号（指紋の特徴部の検出結果）を読み込む。
【００３０】
次にステップＳ１０に移行して、プログラムＲＯＭ／ＲＡＭ２３０に格納されている文書キー（指紋の特徴部の検出結果）が前記ステップＳ９で読み込まれた指紋の特徴部の検出結果とが一致するか否かを判定する。一致する場合には（Ｙｅｓ）ステップＳ１１に移行し、一致しない場合には（Ｎｏ）ステップＳ１３に移行する。
次にステップＳ１１に移行して、プログラムＲＯＭ／ＲＡＭ２３０に格納されている文書キーを端末キーとしてＮＶＲＡＭ２５０に格納させる。
【００３１】
次にステップＳ１２に移行して、ユーザ認証が成功したことを示す認証結果通知を解析・整形部３１０に出力してから、この演算処理を終了する。
次にステップＳ１３に移行して、書庫管理部３００に文書データの一覧をメイン表示パネル２８０に表示させる指令を出力させる。
次にステップＳ１４に移行して、ユーザ認証が失敗したことを示す認証結果通知を解析・整形部３１０に出力してから、この演算処理を終了する。
【００３２】
＜情報表示装置の具体的動作＞
次に、本実施形態の情報表示装置の動作を具体的状況に基づいて詳細に説明する。
まず、パーソナルコンピュータ２で複数のコンテンツの文書データ（ユーザの指紋の特徴部を文書キーとする文書データ）が生成され、その生成された文書データが情報表示装置３に送信されて情報表示装置３のストレージ２２０に格納されたとする。そして、ストレージ２２００に格納されている文書データ群の一覧がメイン表示パネル２８０に表示され、ユーザによって表示対象とする文書データが選択されたとする。すると、ＣＰＵ２４０及びプログラムＲＯＭ／ＲＡＭ２３０の書庫管理部３００によって、図７に示すように、その選択された文書データの表示要求が解析・整形部３１０に出力される。
【００３３】
また、解析・整形部３１０によって、その出力された表示要求に対応する文書データがストレージ２２００から読み出され、その文書データに含まれている文書キーが抽出されてプログラムＲＯＭ／ＲＡＭ２３０に格納され、ユーザが当該文書データへのアクセスが許されている人であるか否かを判定する認証依頼が認証キー設定部３２０に出力される。
そして、認証キー設定部３２０によって、認証処理が実行され、ＮＶＲＡＭ２５０に端末キーが格納されていなかったとすると、図８に示すように、まずそのステップＳ１で、端末キーが格納されていないと判定され、ステップＳ２の判定が「Ｎｏ」となり、ステップＳ８で、メッセージ描画指令がアクセラレータ回路２６０に出力される。すると、アクセラレータ回路２６０によって、その出力されたメッセージ描画指令に従って画像の描画処理が行われ、その処理結果である描画データが表示駆動部２７０に出力され、表示駆動部２７０によって、その出力された描画データが参照され、「指紋検出装置に指を押し当ててください。」というメッセージがメイン表示パネル２８０に表示される。
【００３４】
ここで、そのメッセージを見たユーザが指紋検出装置２００に指を押し当てたとする。すると、指紋検出装置２００によって、ユーザの指紋の特徴部が検出され、その検出結果を示す指紋信号がＣＰＵ２４０に出力される。すると、ステップＳ９で、その出力された指紋信号が読み込まれ、プログラムＲＯＭ／ＲＡＭ２３０に格納されている文書キーが前記読み込まれた指紋の特徴部とが一致するため、ステップＳ１０の判定が「Ｙｅｓ」となり、ステップＳ１１で、プログラムＲＯＭ／ＲＡＭ２３０に格納されている文書キー（表示対象として選択された文書データの文書キー）が端末キーとしてＮＶＲＡＭ２５０に格納され、ステップＳ１２で、ユーザ認証が成功したことを示す認証結果が解析・整形部３１０に出力され、この演算処理を終了する。すると、解析・整形部３１０によって、前記表示要求に対応する文書データの解析を続行し、ビットマップデータ描画指令がアクセラレータ回路２６０に出力され、アクセラレータ回路２６０によって、そのビットマップデータ描画指令に従って画像の描画処理が行われ、その処理結果である描画データが表示駆動部２７０に出力され、表示駆動部２７０によって、その出力された描画データが参照され、コンテンツのビットマップデータがメイン表示パネル２８０に表示される。
【００３５】
このように、本実施形態の情報表示システム１にあっては、ストレージ２２０に格納されている文書データに設定されている文書キーを装置キーに設定するようにした。そのため、ユーザは自身の情報を含む文書データをストレージ２２０に格納させることで、装置キーを設定することができ、装置キー設定の手間を軽減することができる。
なお、本発明の情報表示装置は、上記実施の形態の内容に限定されるものではなく、本発明の趣旨を逸脱しない範囲で適宜変更可能である。
【００３６】
上記実施形態では、文書キーを文書データに含めて送信する例を示したが、これに限られるものではない。例えば、文書キーを文書データとは別に送信するようにしてもよい。
なお、文書キーを文書データと別に送信する場合には、文書キーをデータ生成部１２０に渡さず、文書データの送信前に情報表示装置３に直接送信するようにしてもよい。
具体的には、通信管理部３３０は、図９に示すように、パーソナルコンピュータ２から送信される各種データを受信すると、ストレージ２２０に当該データを格納させ、データの受信が終了したことを示す通信終了通知を認証キー設定部３２０に出力する。
【００３７】
認証キー設定部３２０は、ストレージ２２０に格納されているデータの一覧を参照し、当該データの拡張子や名前等、予め決められた指標に基づいて文書キーを検索する。
また、認証キー設定部３２０は、ＮＶＲＡＭ２５０に格納されている端末キーを読み出し、その端末キーと前記検索された文書キーとが一致するか否かを判定し、一致しない場合には、当該文書キーを端末キーとして設定する（ＮＶＲＡＭ２５０に格納させる）。
【００３８】
また、有効期限を過ぎた端末キーをＮＶＲＡＭ２５０から削除する例を示したが、これに限られるものではない。例えば、ストレージ２２０から文書データが削除された場合に当該文書データの文書キーによって設定された端末キーを削除するようにしてもよい。
さらに、例えば、端末キーがストレージ２２０に削除された場合には、メイン表示パネル２８０の表示内容を消去し、文書データの一覧を表示させるようにしてもよい。
【００３９】
また、文書キーとして、ユーザの指紋の特徴部を用いる例を示したが、コレに限られるものではない。例えば、パスワードを用いるようにしてもよい。
【図面の簡単な説明】
【００４０】
【図１】本発明を適用した情報表示システムの外観を示す斜視図である。
【図２】図１のパーソナルコンピュータの内部構成を示すブロック図である。
【図３】図１の情報表示装置の内部構成を示すブロック図である。
【図４】文書データのデータ構成を説明するための説明図である。
【図５】パーソナルコンピュータの機能構成を説明するための説明図である。
【図６】印刷ダイアログを説明するための説明図である。
【図７】情報表示装置の機能構成を説明するための説明図である。
【図８】認証キー設定部で実行される認証処理を示すフローチャートである。
【図９】本発明の変形例を説明するための説明図である。
【符号の説明】
【００４１】
１は情報表示システム、２はパーソナルコンピュータ、３は情報表示装置、１０は入力機器、２０は指紋検出装置、３０は記憶装置、４０プログラムＲＯＭ／ＲＡＭ、５０はＣＰＵ、６０は表示駆動部、７０はディスプレイ、８０はインタフェース装置、１００は一般アプリケーション、１１０は印刷制御部、１２０はデータ生成部、１３０はデータ転送部、２００は指紋検出装置、２１０はインタフェース装置、２２０はストレージ、２３０はプログラムＲＯＭ／ＲＡＭ、２４０はＣＰＵ、２５０はＮＶＲＡＭ、２６０はアクセラレータ回路、２７０は表示駆動部、２７０ａは画素書込部、２８０はメイン表示パネル、２９０は電源、３００は書庫管理部、３１０は解析・整形部、３２０は認証キー設定部、３３０は通信管理部
【図１】
2007122564.tif 000003
【図２】
2007122564.tif 000004
【図３】
2007122564.tif 000005
【図４】
2007122564.tif 000006
【図５】
2007122564.tif 000007
【図６】
2007122564.tif 000008
【図７】
2007122564.tif 000009
【図８】
2007122564.tif 000010
【図９】
2007122564.tif 000011